(57)【要約】本発明の対象は、互いに間隔をおいて、側板（１０，１１）とこれらの側板を結合する下部及び上部の横連絡片とを持つプラスチック製鎖リンクの製造方法に関し、少なくとも１つの横連絡片（１５）が側板の１つ（１０）に関節結合されており、側板の少なくとも１つが、それから横連絡片の少なくとも１つが、側板の１つと横連絡片の１つとの間の関節結合部を同時に形成する際形成される。
2004527705.tif 000002
【特許請求の範囲】
【請求項１】
プラスチックから成る鎖リンクが互いに間隔をおいた側板（１０，１１，３０，３１，５０，５１，７０）及びこれらの側板を結合する下部及び上部の横連絡片（１５，１８，３５，３８，５５，５６，７５）を持ち、少なくとも１つの横連絡片（１５，３５，５５，７５）が側板の１つ（１０，３０，５０，７０）に関節結合されており、まず側板の少なくとも１つ（１０，３０，５０，７０）が、それから横連絡片の少なくとも１つ（１５，３５，５５，７５）が、側板の１つ（１０，３０，５０，７０）と横連絡片の１つ（１５，３５，５５，７５）との間の継手結合部を同時に形成する際、形成される、鎖リンクの製造方法。
【請求項２】
継手軸（１６）を持つ側板（１０）がまず形成され、横連絡片（１５）の形成中にこの継手軸（１６）が１８０°より大きい周囲角にわたって横連絡片（１５）により包囲される、請求項１に記載の方法。
【請求項３】
継手軸（１６）が凹所（１４）に形成される、請求項２に記載の方法。
【請求項４】
側板（３０，５０，７０）の縦方向に延びる少なくとも１つの継手受入れ部（３４，７４）を持つ側板（３０，５０，７０）が形成され、横連絡片（３５，５５，７５）の形成中に、この継手受入れ部（３４，７４）に少なくとも１つの継手ほぞ（３６，７６）が形成される、請求項１に記載の方法。
【請求項５】
側板（３０，５０）に、対向する継手受入れ部（３４）が形成され、横連絡片（３５，５５）の形成中にこれらの継手受入れ部（３４）内に、それぞれ１つの継手ほぞ（３６）が形成される、請求項４に記載の方法。
【請求項６】
断面が部分円状の継手受入れ部（７４）が側板（７６）に形成され、この継手受入れ部の周囲角が１８０°より大きく、３６０°より小さい、請求項４に記載の方法。
【請求項７】
断面が部分円状の継手受入れ部（７４）が側板（７６）に形成され、この継手受入れ部の周囲角が約２７０°である、請求項６に記載の方法。
【請求項８】
側板（１０，１１，３０，３１，５０，５１）と横連絡片（１８，３８，５６）が一体のＵ字状材を形成する、請求項１〜７の１つに記載の方法。
【請求項９】
側板（１０，１１，３０，３１，５０，５１，７０）及び／又は横連絡片（１５，１８，３５，３８，５５，５６，７５）が同じに形成されている、請求項１〜７の１つに記載の方法。
【請求項１０】
少なくとも１つの横連絡片（１５，３５，５５，７５）が、２成分射出成形法により、側板（１０，３０，５０，７０）の１つと横連絡片（１５，３５，５５，７５）の１つとの間に継手結合部を同時に形成しながら形成される、請求項１〜９の１つに記載の方法。
【請求項１１】
側板（１０，１１，３０，３１，５０，５１，７０）及び／又は少なくとも１つの横連絡片（１５，１８，３５，３８，５５，５６，７５）が、少なくとも部分的に異なるプラスチックから形成される、請求項１〜１０の１つに記載の方法。
【請求項１２】
側板（１０，１１，３０，３１，５０，５１，７０）及び場合によっては横連絡片（１５，１８，３５，３８，５５，５６，７５）が、ポリアミドの群から選ばれたプラスチックから形成される、請求項１１に記載の方法。
【請求項１３】
側板（１０，１１，３０，３１，５０，５１，７０）及び場合によっては横連絡片（１５，１８，３５，３８，５５，５６，７５）が、ポリアセタールの群から選ばれたプラスチックから形成される、請求項１１又は１２に記載の方法。
【請求項１４】
エネルギ案内鎖用のプラスチック製鎖リンクであって、互いに間隔をおいた側板（１０，１１）及びこれらの側板を結合する下部及び上部の横連絡片（１５，１８）を持ち、少なくとも１つの横連絡片（１５）が側板の１つ（１０）に関節結合されているものにおいて、横連絡片（１５）の部分が、側板（１０）に形成される継手軸（１６）を継目なしに包囲していることを特徴とする、鎖リンク。
【請求項１５】
エネルギ案内鎖用のプラスチック製鎖リンクであって、互いに間隔をおいた側板（１０，１１，３０，３１，５０，５１，７０）及びこれらの側板を結合する下部及び上部の横連絡片（１５，１８，３５，３８，５５，５６，７５）を持ち、少なくとも１つの横連絡片（１５，３５，５５，７５）が側板の１つ（１０，３０，５０，７０）に関節結合されている、特に請求項１４に記載のものにおいて、横連絡片（１５，３５，５５，７５）の少なくとも１つの部分が、側板（１０，３０，５０，７０）との継手結合部を同時に形成する際に、形成されていることを特徴とする、鎖リンク。
【請求項１６】
部分が、側板（１０）の継手軸（１６）を１８０°より大きい周囲角にわたって包囲していることを特徴とする、請求項１５に記載の鎖リンク。
【請求項１７】
側板（３０，５０，７０）が、側板（３０，５０，７０）の縦方向に延びる少なくとも１つの継手受入れ部（３４，７４）を持ち、横連絡片（３５，５５，７５）の形成中に形成される継手ほぞ（３６，７６）が継手受入れ部（３４，７４）へ入り込んでいることを特徴とする、請求項１５に記載の鎖リンク。
【請求項１８】
側板（３０，５０）が２つの対向する継手受入れ部（３４）を持ち、これらの継手受入れ部へそれぞれ１つの継手ほぞ（３６）が少なくとも部分的に入り込み、横連絡片（３５，５５）の形成中に継手ほぞ（３６）が形成されていることを特徴とする、請求項１７に記載の方法。
【請求項１９】
側板（１０，１１，３０，３１，５０，５１，７０）及び横連絡片（１５，１８，３５，３８，５５，５６，７５）が一体のＵ字状部材を形成していることを特徴とする、請求項１４〜１８の１つに記載の鎖リンク。
【請求項２０】
少なくとも１つの横連絡片（１５，３５，５５，７５）が、２成分射出成形法により、側板（１０，３０，５０，７０）と横連絡片（１５，３５，５５，７５）との間に継手結合部を同時に形成しながら、形成されることを特徴とする、請求項１４〜１９の１つに記載の鎖リンク。
【請求項２１】
側板（１０，１１，３０，３１，５０，５１，７０）及び少なくとも１つの横連絡片（１５，１８，３５，３８，５５，５６，７５）が、少なくとも部分的に異なるプラスチックから形成されていることを特徴とする、請求項１４〜２０の１つに記載の鎖リンク。
【請求項２２】
側板（１０，１１，３０，３１，５０，５１，７０）及び場合によっては横連絡片（１５，１８，３５，３８，５５，５６，７５）が、ポリアミドの群から選ばれたプラスチックから形成されていることを特徴とする、請求項２１に記載の鎖リンク。
【請求項２３】
側板（１０，１１，３０，３１，５０，５１，７０）及び場合によっては横連絡片（１５，１８，３５，３８，５５，５６，７５）が、ポリアセタールの群から選ばれたプラスチックから形成されていることを特徴とする、請求項２１又は２２に記載の鎖リンク。
【発明の詳細な説明】
【０００１】
本発明の対象は、エネルギ案内鎖の鎖リンクの製造方法及び鎖リンクに関する。
【０００２】
ドイツ連邦共和国特許出願公開第４３１３０７５号明細書により、互いに間隔をおいて互いに対向する２つの鎖側板を持つエネルギ案内鎖が公知である。鎖側板は横桁により互いに結合されている。横桁と側板との結合は、取外し可能な蝶番により行われる。横桁は側板に係止可能である。このため横桁は、ドイツ連邦共和国特許出願公開第４３１３０７５号明細書によれば、鎖側板の適当な係止手段と共同作用する係止手段を持っている。具体的にはドイツ連邦共和国特許出願公開第４３１３０７５号明細書により、横桁が両側にそれぞれ突起を持ち、これらの突起が丸い断面の支持ピンと結合されるようにすることが提案される。鎖側板は突起を受入れるスリットを持っている。側板は、スリットの範囲に、支持ピンを係止するように受入れて案内する凹所を持っている。蝶番のこの構成により、横桁の１８０°の揺動が可能にされ、横桁は任意のあらゆる位置で取外し可能である。
【０００３】
ドイツ連邦共和国特許第３３１８５６５号明細書により、エネルギ案内鎖用鎖リンクの別の実施形態が公知である。鎖リンクは、互いに間隔をおいて互いに対向しかつ閉鎖湾曲片により互いに結合される２つの鎖側板を持っている。閉鎖湾曲片は、取外し可能な蝶番により一方の鎖側板に枢着され、弾性かぎにより他方の鎖側板に係止可能である。蝶番を形成するためドイツ連邦共和国特許第３３１８５６５号明細書は、羽根板の自由縁に形成されて露出しかつ羽根板に対して直角に平らにされる円形断面を持つ継手軸と、閉鎖湾曲片の端部に形成されかつアンダカットを備えた部分円状凹所とから、蝶番を構成することを提案している。閉鎖湾曲片のこの構成により、閉鎖湾曲片を軸上へはめ、対向する鎖側板の方へ揺動した後、閉鎖湾曲片が摩擦及びはまり合いにより、継手軸と締付けられるようにすることができる。このような閉鎖湾曲片は片側へ揺動可能である。
【０００４】
国際公開第９５／２８２７３号明細書により、エネルギ案内鎖用のプラスチックから成る鎖リンクが公知である。鎖リンクは間隔をおいた２つの側板により形成されている。これらの側板は上部及び下部の横連絡片により互いに結合されている。横連絡片の１つは側板に関節結合されている。この横連絡片は側板に失われないように結合されている。継手結合部を形成するため、鎖リンクの個々の部分がまず準備される。横連絡片は継手頭部を持ち、この継手頭部から二又状に第１の舌片及び第２の二又舌片が延びている。二又状舌片は、その内側が互いにほぼ平行に延びている。舌片を一体に形成された二又頭部は、ピンの周断面に一致する溝を持っている。継手結合部を形成するため、継手頭部が舌片及びピンと組合わされる。形成すべき結合部に形状を合わされている固定工具により、この固定工具が舌片の端部へ近づけられる。場合によっては熱を作用させながら、固定工具へ力を作用させることにより、舌片が変形して、その端部が互いに近づく。こうして舌片によるピンの包囲が行われる。その舌片は互いに近づくように変形して、互いに接触し、最後に互いに結合する。この結合により、ピンは継手頭部により完全に包囲される。
【０００５】
これから出発して本発明の基礎になっている課題は、容易に実施可能な方法を提示し、取扱うべき部分の数を少なくすることである。本発明の別の目的は、失われないように側板に結合される少なくとも１つの横連絡片を持つ鎖リンクを提示し、鎖リンクを容易に製造可能にすることである。
【０００６】
この目的は、請求項１に記載の本発明による方法、及び請求項１４に記載の本発明による鎖リンクによって達せられる。方法又は鎖リンクの別の有利な構成は、それぞれの従属請求項の対象である。
【０００７】
互いに間隔をおいた側板及びこれらの側板を結合する下部及び上部の横連絡片を持つプラスチック製鎖リンクの本発明による製造方法は、少なくとも１つの横連絡片が側板の１つに関節結合されており、まず側板の少なくとも１つが、それから横連絡片の少なくとも１つが、側板の１つと横連絡片の１つとの間の継手結合部を同時に形成する際、形成されることを特徴としている。
【０００８】
本発明によるこの方法によって、国際出願公開第ＷＯ９５／２８２７３号明細書から公知の製品製造をやめて、舌片を持つ横連絡片の特別な形成をやめることができる。更に舌片の変形及び継手結合部の形成のための必要な付加的段階は設けられない。本発明による方法は簡単な工具により実施することができる。
【０００９】
方法の有利な構成は、継手軸を持つ側板がまず形成され、横連絡片の形成中にこの継手軸が１８０°より大きい周囲角にわたって横連絡片により包囲されることを提案する。継手軸を持つ側板はそれ自体公知である。従って側板の原理的構造は、本発明による方法を実現するために利用することができる。従って本発明を実施するために、側板の構造の根本的な変更は必要でない。継手軸は凹所に形成されているのが好ましい。
【００１０】
本発明の更に別の有利な構成によれば、側板の縦方向に延びる少なくとも１つの継手受入れ部を持つ側板がます形成される。この継手受入れ部の断面はなるべく部分円状なので、この継手受入れ部に少なくとも１つの継手ほぞが形成されるようにすることができる。この場合側板又は横連絡片を製造するのに好ましい材料は、これらが互いに結合しないように、選ばれるのが好ましい。この処理により、側板に対する横連絡片の揺動運動が可能になるのを保証される。
【００１１】
方法の更に別の構成によれば、断面が部分円状の継手受入れ部が側板に形成され、この継手受入れ部の周囲角が１８０°より大きく、３６０°より小さい。特に周囲角が２７０°であることが提案される。
【００１２】
方法の更に別の有利な構成によれば、側板に、対向する継手受入れ部が形成され、横連絡片の形成中にこれらの継手受入れ部内に、それぞれ１つの継手ほぞが形成される。
【００１３】
鎖リンクの取扱うべき部分の数を減少するため、方法の更に別の有利な構成によれば、側板と横連絡片が一体のＵ字状材として形成される。
【００１４】
鎖リンクの生産費及び構造費を少なくするため、側板及び／又は横連絡片が同じに形成されていることを提案する。
【００１５】
鎖リンクの製造は、少なくとも１つの横連絡片が、２成分射出成形法により、側板の１つと横連絡片の１つとの間に継手結合部を同時に形成しながら形成されるように、行われるのが好ましい。２成分射出成形法は、ただ１つの機械で行うことができる。
【００１６】
方法の更に別の有利な構成によれば、側板及び／又は少なくとも１つの横連絡片が、少なくとも部分的に異なるプラスチックから形成される。側板及び場合によっては横連絡片が、なるべくポリアミドの群から選ばれたプラスチックから形成される。側板及び場合によってはＵ字状部材の安定性を高めるため、これらが補強ガラス繊維を備えているポリアミドから製造される。
【００１７】
側板及び場合によっては横連絡片が、ポリアセタールの群から選ばれたプラスチックから形成されるようにすることができる。特にプラスチックはＰＯＭである。
【００１８】
更に別の本発明の思想によれば、エネルギ案内鎖用のプラスチック製鎖リンクが、互いに間隔をおいた側板及びこれらの側板を結合する下部及び上部の横連絡片を持ち、少なくとも１つの横連絡片が側板の１つに関節結合され、横連絡片の部分が、側板に形成される継手軸を継目なしに包囲している。この手段により、横連絡片が失われることなく側板に結合されている。側板と横連絡片が側板から外れることなしに、横連絡片へ一層大きい力を作用させることができる。本発明による鎖リンクは、非常に小さい鎖リンクを持つエネルギ案内鎖を構成するに特に適している。
【００１９】
プラスチック製鎖リンクの更に別の有利な構成によれば、横連絡片の少なくとも１つの部分が、側板との継手結合部を同時に形成する際に、形成されている。
【００２０】
部分が、側板の継手軸を１８０°より大きい周囲角にわたって包囲しているのが好ましい。
【００２１】
鎖リンクの更に別の有利な構成によれば、側板が、側板の縦方向に延びる少なくとも１つの継手受入れ部を持ち、横連絡片の形成中に形成される継手ほぞが継手受入れ部へ入り込んでいる。
【００２２】
特に２つの対向する継手受入れ部を持つ側板を有するように、鎖リンクが形成される。継手受入れ部の各々へ継手ほぞが入り込み、横連絡片の形成中に継手ほぞが形成されている。
【００２３】
なるべく鎖リンクが、側板の１つに関節結合される横連絡片により形成されている。この側板は別の横連絡片を介して第２の側板に結合され、側板と横連絡片がＵ字状部材を形成している。
【００２４】
鎖リンクの更に別の有利な構成によれば、少なくとも１つの横連絡片が、２成分射出成形法により、側板と横連絡片との間に継手結合部を同時に形成しながら、形成されている。
【００２５】
鎖リンクの更に別の有利な構成によれば、側板及び少なくとも１つの横連絡片が、少なくとも部分的に異なるプラスチックから形成されている。特に側板及び場合によっては横連絡片が、ポリアミドの群から選ばれたプラスチックから形成されている。
【００２６】
鎖リンクの更に別の有利な構成によれば、側板及び場合によっては横連絡片が、ポリアセタールの群から選ばれたプラスチックから形成されている。
【００２７】
方法及び本発明による鎖リンクのそれ以上の詳細及び利点は、図面に示されている実施例に基いて説明される。
【００２８】
図１〜３は、本発明による鎖リンクの第１の実施例を示している。この場合図３は、斜視図で概略的にＵ字状鎖リンク部材を示している。
【００２９】
鎖リンクはプラスチックから製造されている。それは、多数のこのような鎖リンクから成ることができるエネルギ案内鎖のために意図されている。鎖リンクは、互いに間隔をおいた２つの側板１０，１１を持っている。図示した実施例では、側板１０，１１は下部の固定横連絡片１８により互いに結合されている。各側板１０，１１は、端部範囲に穴１２を持っている。側板の反対側の端部範囲には、ほぞ１３が設けられている。側板１１，１２の穴１２及びほぞ１３は、ほぞ１３を隣接する鎖リンクの側板の穴１２へ入れることができるように構成されているので、線状体を形成する複数の鎖側板が互いに結合される。エネルギ案内鎖のこの構成はそれ自体公知である。
【００３０】
側板１０の縁１７から始まって側板１０の縦方向に対して横向きに凹所１４が設けられている。この凹所１４内には、立体的に形成される継手軸１６が存在して、側板１０の構成部分を形成している。継手軸１６は、図２からわかるように円形断面を持っている。
【００３１】
側板１０には横連絡片１５が関節結合されている。図２は、横連絡片１５の一部が継手軸１６を継目なしに包囲していることを示す。横連絡片１５はその自由端にかぎを持っている。このかぎ１９はかぎ突起２３及びピン受入れ部２４を持っている。
【００３２】
側板１１の縦縁１７から始まってこの側板１１の縦方向に対して横向きにかぎ受入れ部２０が設けられている。特に図３からわかるように、かぎ受入れ部２０は、側板１１の縦方向に延びるピン２１を持っている。側板１１の外側にある壁に、突起２２が設けられている。
【００３３】
横連絡片１５は、継手軸１６の周りに揺動可能である。鎖リンクの閉じた状態で、ピン２１はかぎ１９のピン受入れ部２４へはまる。ピン２１より下に突起２２が形成されて、かぎ突起２３と共同作用するので、横連絡片１５は取外し可能に側板１１に結合可能である。閉じた状態でピン受入れ部２４へはまるピン２１によって、側板１０，１１が相対的に動かされる時、横連絡片１６の予期しない開放が起こるのを防止される。
【００３４】
図１及び２に示す鎖リンクは、次のように製造することができる。
【００３５】
まず鎖リンクの側板が形成される。その際少なくとも側板１０が継手軸１６を持っている。それから横連絡片１５が、側板１０と横連絡片１５との間に継手結合部を同時に形成する際形成される。
【００３６】
図１〜３に示す鎖リンクは、側板１０，１１と横連絡片１８とにより形成されるＵ字状鎖リンク部材を持っている。これは必ずしも必要でない。横連絡片１８は取外し可能に側板１０，１１に結合することもできる。
【００３７】
両方の側板のうち１つに、側板に関節結合されるそれぞれ２つの横連絡片を設けることも可能である。これらの横連絡片は、対向する側板に結合可能である。側板１１に関節結合されている横連絡片１５を持つ側板１１を形成することも可能である。
【００３８】
図４〜７は本発明による鎖リンクの別の実施例を示す。
【００３９】
図４〜７に示す鎖リンクは、Ｕ字状に形成された鎖リンク部材を持っている。鎖リンク部材は、互いに離れた２つの側板３０，３１を持っている。側板３０，３１は、下部連絡片３８により互いに結合されている。
【００４０】
各側板３０，３１は、側板の端部範囲にそれぞれ１つの穴３２を持っている。反対側の端部範囲にはそれぞれ１つのほぞ３３が形成されている。鎖リンクの穴３２とほぞ３３は、別の鎖リンクとの関節結合を可能にするので、これらの鎖リンクがエネルギ案内鎖を形成する。
【００４１】
鎖リンクは、側板３０に関節結合される上部横連絡片３５を持っている。関節結合のため、側板３０は継手受入れ部３４を持っている。この継手受入れ部３４は、図示した実施例では、縁３７に隣接して側板３０の内側の面に形成されている。互いに間隔をおいて形成される２つの継手受入れ部３４が設けられている。図４は、各継手受入れ部３４へそれぞれ１つの継手ほぞ３６が入り込んでいることを示している。継手ほぞ３６は横連絡片３５に形成されている。横連絡片３５は、継手受入れ部３４及び継手ほぞ３６により、側板３０に関節結合されている。図４，５及び７は、閉じた状態にある鎖リンクを示している。鎖リンクを閉じるため、横連絡片３５が反対側の側板３１の方へ揺動される。この場合側板３１のかぎ受入れ部４０に形成されたピン４１が、横連絡片３５の自由端に設けられたかぎ３９のピン受入れ部４４へはまる。側板３１の方へ横連絡片３５を更に動かすと、かぎ突起４３が、側板３１に形成された突起４２に係合するので、横連絡片３５は側板３１に係止するように結合される。
【００４２】
本発明による鎖リンクの別の実施例が図８及び９に示されている。図８及び９に示す鎖リンクの原理的構造は、図４〜７に示す鎖リンクに相当している。
【００４３】
図８及び９に示す鎖リンクは、互いに間隔をおいた２つの側板５０，５１を持っている。これらの側板５０，５１は横連絡片５６により互いに結合されている。各側板５０，５１は穴５２及びほぞ５３を持っている。側板５０，５１は横連絡片５６により互いに結合されている。各側板５０，５１は穴５２及びほぞ５３を持っている。側板５０，５１の穴５２へ、隣接する鎖リンクの側板のほぞ５３がはまる。多数のこのような鎖リンクがエネルギ案内鎖を形成する。
【００４４】
図８及び９に示すように、鎖リンクは側板５１を持ち、この側板５１は、縦縁５７から側板の縦方向に対して横向きに凹所５４を持っている。凹所５４の側壁には対向して継手受入れ部が形成されている。継手受入れ部へそれぞれ継手ほぞが入り込み、これらの継手ほぞにより横連絡片５５が揺動可能に側板５１と結合されている。図８及び９には図示してない継手ほぞの形成は、横連絡片５５の形成中に行われる。
【００４５】
図１０は鎖リンクの側板７０を示し、このお側板７０は穴７２及びほぞ７１を持っている。穴７２及びほぞ７１は、側板７０の互いに反対側の端部範囲に形成されている。側板の縁７３及び縦方向に、特に図１からわかるように、継手受入れ部７４が形成されている。
【００４６】
継手受入れ部７４は部分円状断面を持っている。図１２、受入れ部７４中に継手ほぞ７６があり、横連絡片７５の製造中にこの継手ほぞ７６が形成されることを示している。横連絡片７５は約９０°の角度だけ揺動可能である。継手ほぞ７６とは反対側にある横連絡片７５の端部には、かぎ７７が形成されて、反対側の鎖側板に係止可能である。この係止はなるべく釈放可能になっている。横連絡片７５の強度を改善するため、横連絡片はリブを持つことができる。
【図面の簡単な説明】
【００４７】
【図１】鎖リンクの第１の実施例を正面図で概略的に示す。
【図２】図１のＡ−Ａ線に沿う断面図を示す。
【図３】Ｕ字状鎖リンク部材を示す。
【図４】鎖リンクの別の実施例を図５のＢ−Ｂ切断線に沿う断面で示す。
【図５】鎖リンクの正面図を示す。
【図６】図５による鎖リンクのＵ字状鎖リンク部材を斜視図で示す。
【図７】図５による鎖リンクを斜視図で示す。
【図８】別の実施例を上からの斜視図で示す。
【図９】図８による鎖リンクを下からの斜視図で示す。
【図１０】鎖リンクの側板の実施例を示す。
【図１１】図１０のＡ−Ａ切断線による断面図を示す。
【図１２】横連絡片を持つ図１０による側板の断面図を示す。
【符号リスト】
【００４８】
１０  側板
１１  側板
１２  穴
１３  ほぞ
１４  凹所
１５  横連絡片
１６  継手軸
１７  縁
１８  横連絡片
１９  かぎ
２０  かぎ受入れ部
２１  ピン
２２  突起
２３  かぎ突起
２４  ピン受入れ部
３０  側板
３１  側板
３２  穴
３３  ほぞ
３４  継手受入れ部
３５  横連絡片
３６  継手ほぞ
３７  縁
３８  横連絡片
３９  かぎ
４０  かぎ受入れ部
４１  ピン
４２  突起
４３  かぎ突起
４４  ピン受入れ部
５０  側板
５１  側板
５２  穴
５３  ほぞ
５４  凹所
５５  横連絡片
５６  横連絡片
５７  縁
５８  かぎ
５９  ピン
６０  かぎ受入れ部
７０  側板
７１  ほぞ
７２  穴
７３  縁
７４  継手受入れ部
７５  横連絡片
７６  継手ほぞ
７７  かぎ
７８  リブ
【国際公開パンフレット】
2004527705.tif 000003
2004527705.tif 000004
2004527705.tif 000005
2004527705.tif 000006
2004527705.tif 000007
2004527705.tif 000008
2004527705.tif 000009
2004527705.tif 000010
2004527705.tif 000011
2004527705.tif 000012
2004527705.tif 000013
2004527705.tif 000014
2004527705.tif 000015
2004527705.tif 000016
2004527705.tif 000017
2004527705.tif 000018
2004527705.tif 000019
2004527705.tif 000020
2004527705.tif 000021
2004527705.tif 000022
2004527705.tif 000023
2004527705.tif 000024
2004527705.tif 000025
2004527705.tif 000026
2004527705.tif 000027
2004527705.tif 000028
【国際調査報告】
2004527705.tif 000029
2004527705.tif 000030
2004527705.tif 000031
2004527705.tif 000032